(57)【要約】【課題】紙面上の熱変色性の像または筆跡を迅速且つ確実に消去でき、且つ、摩擦体や紙面の損傷を十分に回避でき、しかも、紙面上の熱変色性の像または筆跡の発色状態を常温で十分に維持できる消去具、及び筆記具セットを提供する。【解決手段】本発明の消去具１は、本体１１と、前記本体１１内に収容されたモーター１３と、前記モーター１３の回転軸１３ａに取り付けられ且つ本体１１の先端部より外部に突出する樹脂材料よりなる摩擦体１２とからなる。モーター１３の回転により回転する摩擦体１２によって、前記紙面上に形成した熱変色性の像または筆跡を、直接、摩擦し、その際に生じる摩擦熱で前記像または筆跡が消色する。摩擦体１２と紙面との摩擦係数が、０．１〜１．０であり、摩擦体１２で紙面上の熱変色性の像または筆跡を摩擦した時の摩擦体の回転速度が、５００ｒｐｍ〜２００００ｒｐｍである。【選択図】  図１
2011042151.tif 000002
【特許請求の範囲】
【請求項１】
加熱により発色状態から消色状態となる熱変色性インキを用いて紙面上に形成した熱変色性の像または筆跡を摩擦し、その際に生じる摩擦熱で前記熱変色性の像または筆跡を消色させる消色具であって、
本体と、前記本体内に収容されたモーターと、前記モーターの回転軸に取り付けられ且つ本体の先端部より外部に突出する樹脂材料よりなる摩擦体とからなり、前記モーターの回転により回転する摩擦体によって、前記紙面上に形成した熱変色性の像または筆跡を、直接、摩擦し、その際に生じる摩擦熱で前記像または筆跡が消色し、前記摩擦体と紙面との摩擦係数が、０．１〜１．０であり、前記摩擦体で紙面上の熱変色性の像または筆跡を摩擦した時の摩擦体の回転速度が、５００ｒｐｍ〜２００００ｒｐｍであることを特徴とする消去具。
【請求項２】
前記摩擦体の熱伝導率が、０．０５Ｗ／（ｍ・Ｋ）〜５０Ｗ／（ｍ・Ｋ）である請求項１記載の消去具。
【請求項３】
熱変色性インキの消色温度が５０℃〜１５０℃である請求項１または２記載の消去具。
【請求項４】
前記請求項１、２、または３記載の消去具と、消色温度が５０℃〜１５０℃である熱変色性インキを内蔵し且つ前記熱変色性インキが吐出可能な筆記具とからなる筆記具セット。
【発明の詳細な説明】
【技術分野】
【０００１】
本発明は、消去具及び筆記具セットに関する。
【背景技術】
【０００２】
特許文献１には、熱変色性対象物の熱変色層に筆記して熱変色性像を現出させるための熱ペンとして、筆記先端部に自動的に発生させた摩擦熱を熱源とする熱ペンであって、軸胴内の低電圧の印加により駆動する小型モーターが収容されており、軸胴前部には前記モーターの出力軸に取付けたヘッド部材と該ヘッド部材の少なくとも一部を覆うカバー部材を備えた筆記先端部が装備されてなり、前記カバー部材は少なくとも筆記状態でヘッド部材と当接するよう構成されてなる熱ペンが開示されている。
【先行技術文献】
【特許文献】
【０００３】
【特許文献１】実用新案登録第２５０４１７５号公報
【発明の概要】
【発明が解決しようとする課題】
【０００４】
前記特許文献１の熱ペンは、カバー部材を介して熱変色層を熱変色させる構成であるため、モーターの回転を開始してからカバー部材が適正な温度に加熱されるまでに時間がかかり、熱変色層を迅速に熱変色させることが困難である。
【０００５】
また、特許文献１の熱ペンは、熱変色層に加える荷重が弱い場合、摩擦による発熱温度が十分に上昇せず、熱変色層を確実に熱変色できなかったり、あるいは、過剰な温度上昇によりヘッド部材、カバー部材または紙面を損傷させたりするおそれがある。
【０００６】
また、前記特許文献１において、熱変色性層を構成する熱変色性インキの変色点が３０℃近くものである場合、夏場の外気温で熱変色性層が容易に消色してしまい、熱ペンの適用が不能となる。
【０００７】
本発明は、前記従来の問題点を解決するものであって、紙面上の熱変色性の像または筆跡を迅速且つ確実に消去でき、且つ、摩擦体や紙面の損傷を十分に回避でき、しかも、紙面上の熱変色性の像または筆跡の発色状態を常温で十分に維持できる消去具、及び筆記具セットを提供しようとするものである。
【課題を解決するための手段】
【０００８】
本願の第１の発明は、加熱により発色状態から消色状態となる熱変色性インキを用いて紙面上に形成した熱変色性の像または筆跡を摩擦し、その際に生じる摩擦熱で前記熱変色性の像または筆跡を消色させる消色具であって、本体１１と、前記本体１１内に収容されたモーター１３と、前記モーター１３の回転軸１３ａに取り付けられ且つ本体１１の先端部より外部に突出する樹脂材料よりなる摩擦体１２とからなり、前記モーター１３の回転により回転する摩擦体１２によって、前記紙面上に形成した熱変色性の像または筆跡を、直接、摩擦し、その際に生じる摩擦熱で前記像または筆跡が消色し、前記摩擦体１２と紙面との摩擦係数が、０．１〜１．０であり、前記摩擦体１２で紙面上の熱変色性の像または筆跡を摩擦した時の摩擦体１２の回転速度が、５００ｒｐｍ〜２００００ｒｐｍであることを要件とする。
【０００９】
前記第１の発明の消去具１は、摩擦体１２と紙面との摩擦係数が、０．１〜１．０の範囲であり、摩擦体１２で紙面上の熱変色性の像または筆跡を摩擦した時の摩擦体１２の回転速度が、５００ｒｐｍ〜２００００ｒｐｍの範囲であることにより、紙面上の熱変色性の像または筆跡を迅速且つ確実に消去でき、且つ、摩擦体１２や紙面の損傷を十分に回避できる。
【００１０】
前記摩擦体１２の摩擦係数が０．１より小さい場合、紙面上の熱変色性の像または筆跡を十分に消去できないおそれがある。一方、前記摩擦体１２の摩擦係数が１．０より大きい場合、摩擦熱による過剰な温度上昇により摩擦体１２や紙面が損傷するおそれがある。前記摩擦時の摩擦体１２の回転速度が５００ｒｐｍより低い場合、紙面上の熱変色性の像または筆跡を十分に消去できないおそれがある。前記摩擦時の摩擦体１２の回転速度が、２００００ｒｐｍより高い場合、摩擦熱による過剰な温度上昇により摩擦体１２や紙面が損傷するおそれがある。
【００１１】
本願の第２の発明は、前記第１の発明の消去具１において、前記摩擦体１２の熱伝導率が、０．０５Ｗ／（ｍ・Ｋ）〜５０Ｗ／（ｍ・Ｋ）であることを要件とする。
【００１２】
前記第２の発明の消去具１は、摩擦体１２の熱伝導率が、０．０５Ｗ／（ｍ・Ｋ）〜５０Ｗ／（ｍ・Ｋ）の範囲であることにより、紙面上の熱変色性の像または筆跡を迅速且つ確実に消去でき、且つ、摩擦体１２や紙面の損傷を十分に回避できる。
【００１３】
前記摩擦体１２の熱伝導率が、５０ワット毎メートル毎ケルビン（Ｗ／（ｍ・Ｋ））を超える場合、摩擦体１２の摩擦熱で熱変色性の像または筆跡を確実に消去させることができないおそれがある。一方、前記摩擦体１２の熱伝導率が、０．０５ワット毎メートル毎ケルビン（Ｗ／（ｍ・Ｋ））より小さい場合、過熱により摩擦体１２や紙面を損傷させるおそれがある。尚、前記摩擦体１２の熱伝導率は、０．０５Ｗ／（ｍ・Ｋ）〜２０Ｗ／（ｍ・Ｋ）の範囲、さらには０．０５Ｗ／（ｍ・Ｋ）〜１０Ｗ／（ｍ・Ｋ）の範囲が好ましい。
【００１４】
本願の第３の発明は、前記第１または第２の発明の消去具１において、前記熱変色性インキの消色温度が５０℃〜１５０℃であることを要件とする。
【００１５】
前記第３の発明の消去具１は、熱変色性インキの消色温度が５０℃〜１５０℃の範囲であるため、前記熱変色性インキを用いて紙面上に形成した熱変色性の像または筆跡が、常温で、容易に消色せず、十分に発色状態を維持できる。
【００１６】
本願の第４の発明は、前記第１、第２または第３の発明の消去具１と、消色温度が５０℃〜１５０℃である熱変色性インキを内蔵し且つ前記熱変色性インキが吐出可能な筆記具２とからなる筆記具セットを要件とする。
【００１７】
前記第４の発明の筆記具セットは、筆記具２により紙面上に形成された像または筆跡を、前記筆記具２と組み合わされた消去具１により、迅速且つ確実に消去でき、且つ、摩擦体１２や紙面の損傷を十分に回避できる。
【００１８】
尚、本発明において、前記摩擦係数は、新東科学（株）製、表面性測定機：ＨＥＩＤＯＮ−１４Ｄを用いて、１００ｍｍ／分、荷重５００ｇ（４．９Ｎ）の条件下で筆記用紙Ａ（旧ＪＩＳ  Ｐ３２０１：化学パルプ１００％を原料に抄造された上質紙、秤量範囲４０〜１５７ｇ／ｍ２  、白色度７５．０％以上）上を摩擦した時の摩擦係数（摩擦力／荷重）を測定した。
【００１９】
尚、本発明において、前記熱伝導率は、英弘精機製ＡＵＴＯΛ（ＨＣ−０７２）を用いて、加圧力２５０Ｋｇ／ｍ２、高温板温度３５℃、低温板温度５℃で測定した。尚、前記熱伝導率の単位は、ワット毎メートル毎ケルビン（Ｗ／（ｍ・Ｋ））である。
【発明の効果】
【００２０】
本発明の消去具は、紙面上の熱変色性の像または筆跡を迅速且つ確実に消去でき、且つ、摩擦体や紙面の損傷を十分に回避できる。
【００２１】
本発明の筆記具セットは、筆記具により紙面上に形成された像または筆跡を、筆記具と組み合わされた消去具により、迅速且つ確実に消去でき、且つ、摩擦体や紙面の損傷を十分に回避できる。
【図面の簡単な説明】
【００２２】
【図１】本発明における消去具の実施の形態を示す縦断面図である。
【図２】本発明における筆記具の実施の形態を示す正面図である。
【図３】熱変色性インキの変色挙動を示す説明図である。
【発明を実施するための形態】
【００２３】
＜第１の実施の形態＞
本発明の消去具１の実施の形態を図１に示す。
本実施の形態の消去具１は、本体１１と、該本体１１内に収容されるモーター１３と、該モーター１３の回転軸１３ａに取り付けられる摩擦体１２と、該本体１１内に収容される電源電池１４とからなる。
【００２４】
前記モーター１３は、小型直流モーター１３であり、電源電池１４とスイッチ１５を介して接続される。前記モーター１３の回転軸１３ａは、電源電池１４との通電により、回転駆動する。前記スイッチ１５は、本体１１の外面に設けられるとともに、モーター１３と電源電池１４との通電及び通電解除を行う。また、前記モーター１３に、本体１１の外部の電源と導線等を介して接続する構成でもよい。
【００２５】
前記摩擦体１２は、モーター１３の回転軸１３ａに保持部材１６を介して取り付けられる。
前記摩擦体１２は、樹脂材料よりなる。前記摩擦体１２を構成する樹脂材料は、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等の軟質樹脂（ゴム、エラストマー）や、ポリアセタール樹脂、ポリエチレン樹脂、ポリプロピレン樹脂、ＡＢＳ樹脂、ポリカーボネイト樹脂、ポリエステル樹脂等の硬質樹脂が挙げられる。
【００２６】
前記摩擦体１２が、ＳＢＳ樹脂、ＳＥＢＳ樹脂、またはシリコーン樹脂の弾性樹脂材料からなる場合、回転する摩擦体１２によって、熱変色性の像または筆跡を消色させるための適正な発熱温度を得る。前記摩擦体１２を構成する軟質樹脂（弾性樹脂材料）は、高摩耗性の弾性樹脂（例えば、消しゴム等）からなるものよりも、摩擦時に摩耗カス（消しカス）が殆ど生じない低摩耗性の弾性樹脂からなる。
【００２７】
前記摩擦体１２を硬質樹脂により構成することによって、摩擦時の摩擦体１２が紙面に加える荷重によらず、摩擦体１２と紙面との一定の小さな接触面積が得られ、それにより、熱変色性の像または筆跡の微細な部分を容易に消去できる。
【００２８】
前記摩擦体１２は、先端部が凸曲面状または球面状を有し、それにより、摩擦体１２の先端部における紙面との接触部分が何れであっても、略一定の接触面積が得られる。また、前記摩擦体１２の先端部は、横断面円形状に形成され、それにより、紙面上の熱変色性の像または筆跡を、円滑に摩擦することができる。
【００２９】
本実施の形態の消去具１は、摩擦体１２と紙面との摩擦係数が、０．２〜０．８の範囲であり、紙面上の熱変色性の像または筆跡を前記摩擦体１２で摩擦した時の摩擦体１２の回転速度が、５００ｒｐｍ〜２００００ｒｐｍの範囲であり、摩擦体１２の熱伝導率が、０．０５Ｗ／（ｍ・Ｋ）〜１０Ｗ／（ｍ・Ｋ）の範囲である。それにより、紙面上の熱変色性の像または筆跡を迅速且つ確実に消去でき、且つ、摩擦体１２や紙面の損傷を十分に回避できる。
【００３０】
本実施の形態では、紙面上に、印刷または筆記によって熱変色性インキの像または筆跡を形成し、前記像または筆跡を、前記消去具１を用いて消去する。
【００３１】
本実施の形態では、前記熱変色性インキは可逆熱変色性インキである。前記可逆熱変色性インキは、発色状態から加熱により消色する加熱消色型である。
【００３２】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００３３】
本実施の形態の熱変色性インキは、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００３４】
本実施の形態では、前記熱変色性インキの摩擦体１２の摩擦熱による消色温度（完全消色温度ｔ４）は、５０℃〜１５０℃（好ましくは６５℃〜１５０℃、さらに好ましくは６５℃〜９５℃）に設定される。即ち、本発明では、前記高温側変色点〔完全消色温度（ｔ４）〕を、５０℃〜１５０℃（好ましくは、６５℃〜１５０℃、さらに好ましくは６５℃〜９５℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる熱変色性の像または筆跡を摩擦体１２による摩擦熱で容易に消色させることができる。
【００３５】
本実施の形態の消去具１は、熱変色性インキの消色温度が５０℃〜１５０℃（好ましくは６５℃〜１５０℃、さらに好ましくは６５℃〜９５℃）であるため、前記熱変色性インキを用いて紙面上に形成した熱変色性の像または筆跡が、常温で、容易に消色せず、十分に発色状態を維持できる。
【００３６】
＜第２の実施の形態＞
本発明の筆記具セットの実施の形態を図１及び図２に示す。
本実施の形態の筆記具セットは、消去具１と筆記具２とからなる。図１は消去具１を示し、図２は筆記具２を示す。
【００３７】
本実施の形態の消去具１は、本体１１と、該本体１１内に収容されるモーター１３と、該モーター１３の回転軸１３ａに取り付けられる摩擦体１２と、該本体１１内に収容される電源電池１４とからなる。
【００３８】
前記モーター１３は、小型直流モーター１３であり、電源電池１４とスイッチ１５を介して接続される。前記モーター１３の回転軸１３ａは、電源電池１４との通電により、回転駆動する。前記スイッチ１５は、本体１１の外面に設けられるとともに、モーター１３と電源電池１４との通電及び通電解除を行う。また、前記モーター１３に、本体１１の外部の電源と導線等を介して接続する構成でもよい。
【００３９】
前記摩擦体１２は、モーター１３の回転軸１３ａに保持部材１６を介して取り付けられる。前記摩擦体１２は、樹脂材料よりなる。前記摩擦体１２を構成する樹脂材料は、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等の軟質樹脂（ゴム、エラストマー）や、ポリアセタール樹脂、ポリエチレン樹脂、ポリプロピレン樹脂、ＡＢＳ樹脂、ポリカーボネイト樹脂、ポリエステル樹脂等の硬質樹脂が挙げられる。
【００４０】
前記摩擦体１２が、ＳＢＳ樹脂、ＳＥＢＳ樹脂、またはシリコーン樹脂の弾性樹脂材料からなる場合、回転する摩擦体１２によって、熱変色性の像または筆跡を消色させるための適正な発熱温度を得る。前記摩擦体１２を構成する軟質樹脂（弾性樹脂材料）は、高摩耗性の弾性樹脂（例えば、消しゴム等）からなるものよりも、摩擦時に摩耗カス（消しカス）が殆ど生じない低摩耗性の弾性樹脂からなる。
【００４１】
前記摩擦体１２を硬質樹脂により構成することによって、摩擦時の摩擦体１２が紙面に加える荷重によらず、摩擦体１２と紙面との一定の小さな接触面積が得られ、それにより、熱変色性の像または筆跡の微細な部分を容易に消去できる。
【００４２】
前記摩擦体１２は、先端部が凸曲面状または球面状を有し、それにより、摩擦体１２の先端部における紙面との接触部分が何れであっても、略一定の接触面積が得られる。また、前記摩擦体１２の先端部は、横断面円形状に形成され、それにより、紙面上の熱変色性の像または筆跡を、円滑に摩擦することができる。
【００４３】
本実施の形態の消去具１は、摩擦体１２と紙面との摩擦係数が、０．２〜０．８の範囲であり、紙面上の熱変色性の像または筆跡を前記摩擦体１２で摩擦した時の摩擦体１２の回転速度が、５００ｒｐｍ〜２００００ｒｐｍの範囲であり、摩擦体１２の熱伝導率が、０．０５Ｗ／（ｍ・Ｋ）〜１０Ｗ／（ｍ・Ｋ）の範囲である。それにより、紙面上の熱変色性の像または筆跡を迅速且つ確実に消去でき、且つ、摩擦体１２や紙面の損傷を十分に回避できる。
【００４４】
前記筆記具２は、軸筒２１内部に熱変色性インキが収容され、前記軸筒２１の外面に前記熱変色性インキが吐出可能なペン先２２を備える。
【００４５】
前記ペン先２２は、例えば、繊維束の樹脂加工体、繊維束の熱融着加工体、フェルト加工体、パイプ状ペン体、先端にスリットを有する万年筆型板状ペン体、毛筆ペン体、合成樹脂の多孔質気泡体、ボールペンチップ、軸方向のインキ誘導路を有する合成樹脂の押出成形体等が挙げられる。
【００４６】
前記筆記具２のタイプは、具体的には、熱変色性インキをインキ吸蔵体（例えば、繊維加工体または多孔質体等）に含浸させ、ペン先２２を前記インキ吸蔵体に接続するタイプ（いわゆる中綿式）、熱変色性インキを直接、軸筒２１内のインキタンクに貯留し、前記インキタンクとペン先２２との間に、インキタンク内の内圧上昇に応じた溢出インキを一時的に保留するインキ保留部材（例えば、櫛歯状部材、インキ吸蔵体等）を配置するタイプ（いわゆる直液式）、軸筒２１内に、前端がペン先２２と接続され且つ後端が開口するインキ収容部を設け、前記インキ収容部に熱変色性インキと該熱変色性インキの後端に配置され且つ該インキ消費に伴い前進する追従体（例えば、高粘度流体）とを収容するタイプ、またはインキタンク内に熱変色性インキを直接収容し、該インキタンクとペン先２２との間に弁装置を設け、外部操作（例えば、ペン先の押圧操作、軸筒２１の側面の押圧操作、または軸筒２１の後端部の押圧操作等）により弁装置を開閉するタイプ等が挙げられる。
【００４７】
本実施の形態では、前記熱変色性インキは可逆熱変色性インキである。前記可逆熱変色性インキは、発色状態から加熱により消色する加熱消色型である。
【００４８】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００４９】
本実施の形態の熱変色性インキは、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００５０】
本実施の形態では、前記熱変色性インキの摩擦体１２の摩擦熱による消色温度（完全消色温度ｔ４）は、５０℃〜１５０℃（好ましくは６５℃〜１５０℃、さらに好ましくは６５℃〜９５℃）に設定される。即ち、本発明では、前記高温側変色点〔完全消色温度（ｔ４）〕を、５０℃〜１５０℃（好ましくは、６５℃〜１５０℃、さらに好ましくは６５℃〜９５℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる熱変色性の像または筆跡を摩擦体１２による摩擦熱で容易に消色させることができる。
【００５１】
本実施の形態の筆記具セットは、熱変色性インキの消色温度が５０℃〜１５０℃（好ましくは６５℃〜１５０℃、さらに好ましくは６５℃〜９５℃）であるため、前記熱変色性インキを用いて紙面上に形成した熱変色性の像または筆跡が、常温で、容易に消色せず、十分に発色状態を維持できる。
【符号の説明】
【００５２】
１  消去具
１１  本体
１２  摩擦体
１３  モーター
１３ａ  回転軸
１４  電源電池
１５  スイッチ
１６  保持部材
２  筆記具
２１  軸筒
２２  ペン先
【図１】
2011042151.tif 000003
【図２】
2011042151.tif 000004
【図３】
2011042151.tif 000005